(57)【要約】【課題】鋼管杭の適切な位置に重防食被覆が配置される杭支持構造物及びその杭頭部接合方法の提供。【解決手段】杭支持構造物１は、杭挿入部８を有するプレキャスト部材本体９と、杭挿入部８の内側に支持された鞘管１０と、鞘管１０内に突出した支承部材１１とを備えてなるプレキャスト部材４を備え、鞘管１０は、プレキャスト部材本体９の下面より突出する重複突出部１０ａを備え、重複突出部１０ａの外周に重防食被覆１５が形成されている【選択図】図２
2018025042.tif 000002
【特許請求の範囲】
【請求項１】
鋼管杭に支持されたプレキャスト部材を備え、
該プレキャスト部材は、下面に開口した杭挿入部を有するプレキャスト部材本体と、該杭挿入部の内側に支持された鞘管と、該鞘管内に突出した支承部材とを備え、前記鞘管と前記鋼管杭の杭頭部とが嵌合されるとともに、前記支承部材が鋼管杭の杭頭部に支持され、前記鞘管と前記杭頭部との間に充填材が打設されるようにしてなる杭支持構造物において、
前記鞘管は、前記プレキャスト部材本体の下面より突出する重複突出部を備え、該重複突出部の外周に重防食被覆が形成されていることを特徴とする杭支持構造物。
【請求項２】
前記プレキャスト部材本体は、前記杭挿入部を有する中心支持部と、該中心支持部より外向きに張り出した１又は複数の梁用片持ち部とにより構成されている請求項１に記載の杭支持構造物。
【請求項３】
前記杭頭部には、前記支承部材が嵌まり込む一対の受け凹部を備え、該各受け凹部は、前記鋼管杭の上端に開口した導入部と、該導入部の底部と周方向に連続する係合切欠き部とを備え、
前記支承部材は、前記導入部を通して前記受け凹部に挿入され、且つ、前記プレキャスト部材を杭軸回りに回転させることにより係合切り欠き部内に挿入され、前記鋼管杭の杭頭部に係合されるようにした請求項１又は２に記載の杭支持構造物。
【請求項４】
鞘管を有するプレキャスト部材を使用し、前記鞘管と鋼管杭の杭頭部とを嵌合させ、前記鞘管内に突出した支承部材を前記杭頭部に支持させた後、前記鞘管と前記杭頭部との間に充填材を打設し、前記杭頭部にプレキャスト部材を接合させる杭支持構造物の杭頭部接合方法において、
前記プレキャスト部材には、前記鞘管にプレキャスト部材本体の下面より突出する重複突出部を備えるとともに、該重複突出部の外周に重防食被覆を予め形成しておき、
前記鞘管を前記鋼管杭の杭頭部の外側に嵌合させることにより、前記鋼管杭の飛沫飛来部分を前記重防食被覆で覆うことを特徴とする杭支持構造物の杭頭部接合方法。
【請求項５】
既設鋼管杭の上端を切断し、該既設鋼管杭に支持された既設上部工を撤去した後、前記プレキャスト部材を移動させ、前記鞘管を前記既設鋼管杭の杭頭部外側に嵌合させ、該鞘管内に突出した支承部材を前記杭頭部に支持させた後、前記鞘管と前記杭頭部との間に充填材を打設し、前記既設鋼管杭の杭頭部にプレキャスト部材を接合させる請求項４に記載の杭支持構造物の杭頭部接合方法。
【請求項６】
前記プレキャスト部材は、前記鞘管内に配置された型枠支持部材と、該型枠支持部材を前記鞘管に支持させた支持片と、前記型枠支持部材の下端に支持された底型枠とを備え、
前記鞘管を前記杭頭部の外側に嵌合させることにより、前記底型枠が前記鋼管杭内に挿入され、前記鋼管杭の所定の位置を閉鎖し、しかる後、前記鋼管杭内に中詰めコンクリートを打設する請求項４又は５に記載の杭支持構造物の杭頭部接合方法。
【発明の詳細な説明】
【技術分野】
【０００１】
本発明は、鋼管杭にプレキャストコンクリート部材を支持させてなる桟橋等の杭支持構造物及びその杭頭部接合方法に関する。
【背景技術】
【０００２】
桟橋等の杭支持構造物は、水底地盤に打設された複数の鋼管杭と、鋼管杭に支持されたコンクリート製の梁部とを備え、梁部上にコンクリート床版が形成されている。
【０００３】
従来、コンクリート製の梁部は、各鋼管杭を打設した後、隣接する鋼管杭間に鉄骨の設置や鉄筋の配筋等を行うとともに、鋼管杭に支持させた支保工を利用して鋼管杭間に型枠を形成し、コンクリートを場所打ちすることによって梁部を形成するとともにそれと鋼管杭の杭頭部とを接合していた。
【０００４】
しかしながら、このような工法では、梁部を場所打ちコンクリートで形成するため、各作業を行うための作業足場や支保工の設置、鉄筋・鉄骨の配置、型枠の組立・解体、コンクリートの打設・養生等の全ての作業を海上で行わなければならず、海象・気象条件の影響が大きいとともに、工期が長期化するという問題があった。
【０００５】
そこで、このような問題を鑑み、従来では、梁を構成する１又は複数のプレキャストコンクリート造の既製部材を予め陸上の工場又は製作ヤードで製造し、それを施工現場に搬送し、鋼管杭の頭部に当該既製部材を支持させ、その状態で杭頭部と既製部材との間にコンクリートを打設することにより接合させるようにした工法が用いられている（例えば、特許文献１を参照）。
【０００６】
この種の工法においては、例えば、既製部材に鋼管杭よりも一回り大きな鞘管と、鞘管内を横切るＨ鋼等からなる支承部材を設けておき、支承部材を鋼管杭の杭頭部に支持させることで既製部材を鋼管杭に仮支持させ、その状態で鞘管と鋼管杭との間にグラウトを充填することによって既製部材が杭頭部に接合されるようにしたものが知られている。
【０００７】
一方、桟橋等の杭支持構造物においては、鋼管杭の水面より一定高さにある部分が常に塩化物等の飛沫に晒されることから、従来では、陸上において鋼管杭の上端から一定範囲にポリエチレンやウレタンエラストマー等からなる重防食被覆を設けておき、その状態で鋼管杭を打設することで飛沫飛来部分を重防食被覆で保護するようにしていた。
【０００８】
また、桟橋等の杭支持構造物においては、老朽化が進んだ場合、損傷が激しい鋼管杭の上端の飛沫帯部分を切断するとともに、鋼管杭に支持されたコンクリート造の上部工を解体撤去した後、残存した鋼管杭の頭部に新たにプレキャストコンクリート造の既製部材を接合させて梁を形成する工法も開発されている。
【先行技術文献】
【特許文献】
【０００９】
【特許文献１】特開２００１−２８８７２５号公報
【発明の概要】
【発明が解決しようとする課題】
【００１０】
しかしながら、上述の如き従来の技術では、設置後の鋼管杭に重防食被覆を施すことが困難であり、特に、老朽化した桟橋等を再建する際、飛沫飛来部分を切断した後の鋼管杭に重防食被覆を施すことが困難であった。
【００１１】
一方、予め陸上で鋼管杭の上端部に重防食被覆を施しておく場合、水面に対する重防食被覆の位置が鋼管杭の杭頭端部レベルに依存するため、杭頭端部レベルによって当該重防食被覆が飛沫飛来部分に対応した適切な位置に配置されないおそれがあった。
【００１２】
そこで、本発明は、このような従来の問題に鑑み、鋼管杭の適切な位置に重防食被覆が配置される杭支持構造物及びその杭頭部接合方法の提供を目的としてなされたものである。
【課題を解決するための手段】
【００１３】
上述の如き従来の問題を解決するための請求項１に記載の発明の特徴は、鋼管杭に支持されたプレキャスト部材を備え、該プレキャスト部材は、下面に開口した杭挿入部を有するプレキャスト部材本体と、該杭挿入部の内側に支持された鞘管と、該鞘管内に突出した支承部材とを備え、前記鞘管と前記鋼管杭の杭頭部とが嵌合されるとともに、前記支承部材が鋼管杭の杭頭部に支持され、前記鞘管と前記杭頭部との間に充填材が打設されるようにしてなる杭支持構造物において、前記鞘管は、前記プレキャスト部材本体の下面より突出する重複突出部を備え、該重複突出部の外周に重防食被覆が形成されている杭支持構造物にある。
【００１４】
請求項２に記載に発明の特徴は、請求項１の構成に加え、前記プレキャスト部材本体は、前記杭挿入部を有する中心支持部と、該中心支持部より外向きに張り出した１又は複数の梁用片持ち部とにより構成されていることにある。
【００１５】
請求項３に記載の発明の特徴は、請求項１又は２の構成に加え、前記杭頭部には、前記支承部材が嵌まり込む一対の受け凹部を備え、該各受け凹部は、前記鋼管杭の上端に開口した導入部と、該導入部の底部と周方向に連続する係合切欠き部とを備え、前記支承部材は、前記導入部を通して前記受け凹部に挿入され、且つ、前記プレキャスト部材を杭軸回りに回転させることにより係合切り欠き部内に挿入され、前記鋼管杭の杭頭部に係合されるようにしたことにある。
【００１６】
請求項４に記載の発明の特徴は、鞘管を有するプレキャスト部材を使用し、前記鞘管と鋼管杭の杭頭部とを嵌合させ、前記鞘管内に突出した支承部材を前記杭頭部に支持させた後、前記鞘管と前記杭頭部との間に充填材を打設し、前記杭頭部にプレキャスト部材を接合させる杭支持構造物の杭頭部接合方法において、前記プレキャスト部材には、前記鞘管にプレキャスト部材本体の下面より突出する重複突出部を備えるとともに、該重複突出部の外周に重防食被覆を予め形成しておき、前記鞘管を前記鋼管杭の杭頭部の外側に嵌合させることにより、前記鋼管杭の飛沫飛来部分を前記重防食被覆で覆う杭支持構造物の杭頭部接合方法にある。
【００１７】
請求項５に記載の発明の特徴は、請求項４の構成に加え、既設鋼管杭の上端を切断し、該既設鋼管杭に支持された既設上部工を撤去した後、前記プレキャスト部材を移動させ、前記鞘管を前記既設鋼管杭の杭頭部外側に嵌合させ、該鞘管内に突出した支承部材を前記杭頭部に支持させた後、前記鞘管と前記杭頭部との間に充填材を打設し、前記既設鋼管杭の杭頭部にプレキャスト部材を接合させることにある。
【００１８】
請求項６に記載の発明の特徴は、請求項４又は５の構成に加え、前記プレキャスト部材は、前記鞘管内に配置された型枠支持部材と、該型枠支持部材を前記鞘管に支持させた支持片と、前記型枠支持部材の下端に支持された底型枠とを備え、前記鞘管を前記杭頭部の外側に嵌合させることにより、前記底型枠が前記鋼管杭内に挿入され、前記鋼管杭の所定の位置を閉鎖し、しかる後、前記鋼管杭内に中詰めコンクリートを打設することにある。
【発明の効果】
【００１９】
本発明に係る杭支持構造物は、上述したように、鋼管杭に支持されたプレキャスト部材を備え、該プレキャスト部材は、下面に開口した杭挿入部を有するプレキャスト部材本体と、該杭挿入部の内側に支持された鞘管と、該鞘管内に突出した支承部材とを備え、前記鞘管と前記鋼管杭の杭頭部とが嵌合されるとともに、前記支承部材が鋼管杭の杭頭部に支持され、前記鞘管と前記杭頭部との間に充填材が打設されるようにしてなる杭支持構造物において、前記鞘管は、前記プレキャスト部材本体の下面より突出する重複突出部を備え、該重複突出部の外周に重防食被覆が形成されていることにより、鋼管杭の杭頭端部レベル等に影響されず、所望の高さに重防食被覆を設けることができる。また、鞘管で杭頭モーメントに対抗でき、最大杭頭モーメントの影響を排除できるので、その分、鋼管杭の性能を抑えることができ、コストダウンを図ることができる。
【００２０】
また、本発明において、前記プレキャスト部材本体は、前記杭挿入部を有する中心支持部と、該中心支持部より外向きに張り出した１又は複数の梁用片持ち部とにより構成されていることにより、プレキャスト部材の組み合わせによって任意の形状の梁部を形成することができる。
【００２１】
更に、本発明において、前記杭頭部には、前記支承部材が嵌まり込む一対の受け凹部を備え、該各受け凹部は、前記鋼管杭の上端に開口した導入部と、該導入部の底部と周方向に連続する係合切欠き部とを備え、前記支承部材は、前記導入部を通して前記受け凹部に挿入され、且つ、前記プレキャスト部材を杭軸回りに回転させることにより係合切り欠き部内に挿入され、前記鋼管杭の杭頭部に係合されるようにしたことにより、プレキャスト部材の重心が偏った場合においても安定して杭頭部に仮支持させることができる。
【００２２】
また、鞘管を有するプレキャスト部材を使用し、前記鞘管と鋼管杭の杭頭部とを嵌合させ、前記鞘管内に突出した支承部材を前記杭頭部に支持させた後、前記鞘管と前記杭頭部との間に充填材を打設し、前記杭頭部にプレキャスト部材を接合させる杭支持構造物の杭頭部接合方法において、前記プレキャスト部材には、前記鞘管にプレキャスト部材本体の下面より突出する重複突出部を備えるとともに、該重複突出部の外周に重防食被覆を予め形成しておき、前記鞘管を前記鋼管杭の杭頭部の外側に嵌合させることにより、前記鋼管杭の飛沫飛来部分を前記重防食被覆で覆うことにより、杭頭部に容易に重防食被覆を施工することができる。
【００２３】
更に、本発明において、既設鋼管杭の上端を切断し、該既設鋼管杭に支持された既設上部工を撤去した後、前記プレキャスト部材を移動させ、前記鞘管を前記既設鋼管杭の杭頭部外側に嵌合させ、該鞘管内に突出した支承部材を前記杭頭部に支持させた後、前記鞘管と前記杭頭部との間に充填材を打設し、前記既設鋼管杭の杭頭部にプレキャスト部材を接合させることにより、老朽化した桟橋等の杭支持構造物の再構築に際し、鋼管杭の切断位置に依存せずに所定の位置に容易に重防食被覆を施工することができる。
【００２４】
更にまた、本発明において、前記プレキャスト部材は、前記鞘管内に配置された型枠支持部材と、該型枠支持部材を前記鞘管に支持させた支持片と、前記型枠支持部材の下端に支持された底型枠とを備え、前記鞘管を前記杭頭部の外側に嵌合させることにより、前記底型枠が前記鋼管杭内に挿入され、前記鋼管杭の所定の位置を閉鎖し、しかる後、前記鋼管杭内に中詰めコンクリートを打設することにより、中詰めコンクリートを打設するための型枠を鞘管の設置とともに設置することができ、工期の短縮を図ることができる。
【図面の簡単な説明】
【００２５】
【図１】本発明に係る杭支持構造物の概要を示す正面図である。
【図２】図1中の梁部を示す同上のＡ-Ａ線断面図である。
【図３】図１中の杭頭部接合の状態を示す拡大縦断面図である。
【図４】同上のプレキャスト部材を示す拡大縦断面図である。
【図５】図1中の鋼管杭の杭頭部を示す拡大平面図、（ｂ）は同部分拡大正面図、（ｃ）は同Ｂ−Ｂ線断面図である。
【図６】同上のプレキャスト部材の取り付け工程を示す断面図である。
【図７】同上の取り付け時のプレキャスト部材の状態を示す平面図である。
【図８】本発明に係る杭支持構造物及びその杭頭部接合方法の他の実施例を示す断面図である。
【発明を実施するための形態】
【００２６】
次に、本発明に係る杭支持構造物１の実施態様を図１〜図５に示した実施例に基づいて説明する。尚、図中符号１は桟橋等の杭支持構造物である。
【００２７】
この杭支持構造物１は、図１に示すように、水底地盤２に打設された複数の鋼管杭３，３...と、鋼管杭３，３...の支持されたプレキャスト部材４，４...からなる梁部５とを備え、梁部５上に床版部６が形成されている。
【００２８】
梁部５は、図２に示すように、複数のプレキャスト部材４，４...と、各プレキャスト部材４，４...間を連結する場所打ちコンクリート部７とを備え、格子状に形成されている。
【００２９】
各プレキャスト部材４，４...は、図３に示すように、少なくとも下面が開口した杭挿入部８を有するプレキャスト部材本体９と、杭挿入部８の内側に支持された鞘管１０と、鞘管１０内に突出した支承部材１１とを備え、鋼管杭３，３...の杭頭部に支承部材１１が支持されることにより仮支持され、嵌合された鞘管１０と杭頭部との間にグラウト等の充填材１２が打設されることにより杭頭部に接合されている。
【００３０】
また、この杭支持構造物１では、鋼管杭３，３...の上端より所望の深さまで中詰めコンクリート１３が打設されている。
【００３１】
プレキャスト部材本体９は、杭挿入部８を有する中心支持部９ａと、中心支持部９ａより外向きに張り出した１又は複数の梁用片持ち部９ｂとにより構成され、それぞれ平面視Ｌ字状、Ｔ字状又は十字状に形成されている。
【００３２】
そして、梁部５は、平面視Ｌ字状、Ｔ字状、十字状の各プレキャスト部材４，４...を組み合わせ、梁用片持ち部９ｂ，９ｂ間に場所打ちでコンクリートを打設し、梁用片持ち部９ｂ，９ｂ間を連結することにより、格子状に形成されている。
【００３３】
鞘管１０は、プレキャスト部材本体９の高さ（上下方向厚さ）より長く形成され、その上端が杭挿入部８に挿入された状態でプレキャスト部材本体９と一体化されている。
【００３４】
また、鞘管１０は、プレキャスト部材本体９の下面より突出した重複突出部１０ａを備え、重複突出部１０ａの外周に重防食被覆１５が形成されている。
【００３５】
重防食被覆１５は、ポリエチレンやウレタンエラストマー等からなる重防食用被覆材によって構成され、この重防食用被覆材によって重複突出部１０ａの外周全体又は重複突出部１０ａの下端より一定範囲の外周が被覆されている。
【００３６】
尚、重複突出部１０ａの高さは、鋼管杭３，３...の打設深度、鋼管杭３，３...の満潮時及び干潮時の水面突出高さ、設計上必要な杭頭モーメントを満たす長さ等を基に決定する。
【００３７】
支承部材１１は、Ｈ型鋼等によって構成され、鞘管１０の下端から所定の高さにおいて鞘管１０内を直径方向に横切るように配置し、溶接によって固定されている。
【００３８】
そして、この支承部材１１が鋼管杭３，３...の杭頭部に形成された受け凹部１６と係合することにより、鞘管１０を介してプレキャスト部材４，４...が鋼管杭３の杭頭部に仮支持されるようになっている。
【００３９】
受け凹部１６は、図５に示すように、鋼管杭３杭頭部の互いに対称な位置に形成され、鋼管杭３，３...の上端に開口した導入部２０と、導入部２０の底部と周方向に連続する係合切欠き部２１とを備えている。
【００４０】
そして、支承部材１１は、鞘管１０を鋼管杭３，３...の外側に嵌合させる際、導入部２０を通して受け凹部１６に挿入され、プレキャスト部材４，４...を杭軸回りに回転させることにより係合切欠き部２１内に挿入され、係合切欠き部２１の上側内縁２１ａ、即ち、鋼管杭３，３...の杭頭部に係合されるようになっている。
【００４１】
尚、受け凹部１６には、支承部材１１を係合させた際のレベル調整やがたつきを補正するために必要に応じて調整嵩上げ部２２を設けてもよい。
【００４２】
この調整嵩上げ部２２は、図５に示すように、導入部２０側から係合切欠き部２１側に上向きに傾斜したスロープ部２２ａを備え、溶接によって受け凹部１６の下縁に一体化されている。
【００４３】
尚、鋼管杭３，３...は、その杭頭端部レベルに応じて、水面より突出する高さが異なるため、各鋼管杭３，３...に設ける調整嵩上げ部２２の高さを調整することにより、各鋼管杭３，３...に対する鞘管１０の取り付け位置が調整でき、それによって、重複突出部１０ａの位置が統一され、飛沫飛来部分に重防食被覆１５が配置されるようになっている。
【００４４】
また、プレキャスト部材４，４...は、鞘管１０内に配置された型枠支持部材２３，２３と、型枠支持部材２３，２３を鞘管１０に支持させた支持片２４と、型枠支持部材２３，２３の下端に支持された底型枠２５とを備え、鞘管１０を鋼管杭３，３...の外側に嵌合させた際、型枠支持部材２３，２３が鋼管杭３，３...内に挿入されることによって鋼管杭３，３...の上端から所定の高さに底型枠２５が配置され、鋼管杭３，３...内が閉鎖されるようにしている。
【００４５】
次に、上述の如き杭支持構造物１の杭頭部接合方法について、図６、図７に基づいて説明する。尚、上述の実施例と同様の構成には同一符号を付して説明し、符号は水底地盤２に打設された鋼管杭３，３...である。
【００４６】
鋼管杭３，３...は、その杭頭端部レベルによって、水面より突出する高さが異なるため、杭頭部３頭部に形成する受け凹部１６のレベル、具体的には、調整嵩上げ部２２の高さによってレベルを調整しておく。
【００４７】
次に、各プレキャスト部材４，４...をクレーン船等によって施工現場まで移送し、図６（ａ）〜図６（ｂ）に示すように、プレキャスト部材４，４...をクレーンによって吊上げ、鋼管杭３，３...の杭頭部への取り付けを開始する。
【００４８】
その際、プレキャスト部材４，４...は、実際の取り付け位置に対し杭軸回りに所定の角度だけ回転させ、支承部材１１の周方向位置を鋼管杭３，３...の杭頭部に形成された受け凹部１６の導入部２０の位置に合わせた状態で吊り下ろす。
【００４９】
そして、鞘管１０が鋼管杭３，３...の杭頭部の外側に嵌め込まれると、導入部２０を通して支承部材１１が受け凹部１６の下縁に当て止めされるとともに、底型枠２５が鋼管杭３，３...内に挿入され、鋼管杭３，３...の所定の位置を閉鎖する。
【００５０】
次に、図７（ａ）の位置から図７（ｂ）に示す位置まで、プレキャスト部材４，４...を杭軸方向に回転させ、支承部材１１を係合切欠き部２１内に挿入し、係合切欠き部２１の上側内縁、即ち、鋼管杭３，３...の杭頭部に係合させる。
【００５１】
その際、調整嵩上げ部２２を設けておくことにより、支承部材１１がスロープ部に案内されて嵩上げ部２２上に移動し、レベル調整やがたつきが補正され、安定した状態で係合切欠き部２１と係合する。
【００５２】
尚、プレキャスト部材４，４...には、プレキャスト部材本体９に１又は複数の梁用片持ち部９ｂを備え、重心に偏りがあることから、支承部材１１を軸にしてモーメントが作用する。
【００５３】
しかしながら、プレキャスト部材４，４...は、支承部材１１が係合切欠き部２１と係合することで、当該偏心によるモーメントが抑制され、杭頭部に安定した状態で仮支持される。
【００５４】
次に、図６（ｃ）に示すように、プレキャスト部材４，４...を杭頭部に仮支持させた状態で、鞘管１０と鋼管杭３，３...との間の隙間をグラウト等の充填材１２で充填し、鋼管杭３，３...の杭頭部にプレキャスト部材４，４...を接合する。
【００５５】
また、図６（ｄ）に示すように、杭挿入部８の上端より場所打ちコンクリートにより中詰めコンクリート１３を打設してプレキャスト部材４，４...の設置が完了する。
【００５６】
そして、鋼管杭３，３...毎に上述したプレキャスト部材４，４...の接合作業を行った後、隣り合う梁用片持ち部９ｂ間に鉄筋等を配設するとともに型枠を設置し、場所打ちコンクリートを打設して各プレキャスト部材４，４...間を連結する場所打ちコンクリート部７を形成する。
【００５７】
そして、場所打ちコンクリートを養生固化させることにより、鋼管杭３，３...に支持された格子状の梁部５が形成され、梁部５上に場所打ちコンクリート又はプレキャスト床板を設置することにより床版を設置し、杭支持構造物１が構築される。
【００５８】
尚、杭支持構造物１の杭頭部接合方法は、上述の実施例に限定されず、例えば、図８に示すように、プレキャスト部材本体９と鞘管１０とを別個に用意しておき鋼管杭３，３...に接合するものであってもよい。
【００５９】
この工法では、鞘管１０の上端に上側に開口した矩形状の嵌合凹部３０を形成しておき、プレキャスト部材本体９には、上下に貫通した杭挿入部８内を横切るように支承部材３１を設置しておく。また、鋼管杭３，３...にも上側に開口した矩形状の嵌合凹部３２を形成しておく。
【００６０】
そして、まず、鋼管杭３，３...の外側に鞘管１０を嵌合させ、支承部材１１を鋼管杭３，３...上端の嵌合凹部３２に嵌め込むとともに、鞘管１０に支持させた底型枠２５を鋼管杭３内に挿入する。
【００６１】
この状態では、鞘管１０とプレキャスト部材本体９とが分離されているので安定した状態で鞘管１０が鋼管杭３に支持される。
【００６２】
そして、この状態で鞘管１０と鋼管杭３，３...との間をグラウト等の充填材１２で充填するとともに、鋼管内に中詰めコンクリート１３を打設し、鞘管１０を鋼管杭３，３...に接合する。
【００６３】
次に、プレキャスト部材本体９をクレーン等で吊上げ、鞘管１０の上端部に嵌合させることにより、プレキャスト部材本体９の支承部材１１を嵌合凹部に嵌め込み、鞘管１０を介してプレキャスト部材本体９を鋼管杭３，３...に支持させる。
【００６４】
そして、この状態で杭挿入部８内面と鞘管１０との間をグラウト等で充填するとともに、鞘管１０内に中詰めコンクリート１３を打設し、鞘管１０とプレキャスト部材本体９とを接合することでプレキャスト部材４，４...の設置が完了する。
【００６５】
更に、本発明は、老朽化した桟橋等の杭支持構造物１の再構築にも適用でき、既設鋼管杭３，３...の上端を切断し、既設鋼管杭３，３...に支持された既設上部工を撤去した後、上記実施例と同様にプレキャスト部材４，４...を設置することにより既設鋼管杭３，３...に新たな上部工を形成することができる。
【００６６】
このように構成された杭支持構造物１では、鋼管杭３，３...の杭頭部に鞘管１０が嵌合することで杭頭モーメントに対抗することができるので、鋼管杭３，３...の設計においては、最大杭頭モーメントによる影響を排除でき、その分コストダウンを図ることができる。
【００６７】
また、この杭支持構造物１では、鞘管１０が重複突出部１０ａを備え、その外周に重防食被覆１５が形成されているので、鋼管杭３，３...の杭頭端部レベルに設計値との間で誤差が生じた場合であっても、所望の位置に重防食被覆１５を配置することができる。
【００６８】
また、老朽化した桟橋等の杭支持構造物１の再構築に際しても、飛沫飛来部分に容易に重防食被覆１５を形成することができる。
【符号の説明】
【００６９】
１  杭支持構造物
２  水底地盤
３  鋼管杭
４  プレキャスト部材
５  梁部
６  床版部
７  場所打ちコンクリート部
８  杭挿入部
９  プレキャスト部材本体
１０  鞘管
１１  支承部材
１２  充填材
１３  中詰めコンクリート
１５  重防食被覆
１６  受け凹部
２０  導入部
２１  係合切欠き部
２２  調整嵩上げ部
２３  型枠支持部材
２４  支持片
２５  底型枠
【図１】
2018025042.tif 000003
【図２】
2018025042.tif 000004
【図３】
2018025042.tif 000005
【図４】
2018025042.tif 000006
【図５】
2018025042.tif 000007
【図６】
2018025042.tif 000008
【図７】
2018025042.tif 000009
【図８】
2018025042.tif 000010